(57)【要約】　　　（修正有）【課題】略水平な使用位置と、略垂直な起立位置との間で天板を回動するに際し、短時間に移動でき、しかも使用位置や起立位置の回動端において衝撃が加わることなく停止できる回動抵抗手段付き折り畳みテーブルを提供すること。【解決手段】回動抵抗手段を、天板２が使用位置から起立位置、あるいは起立位置から使用位置に回動移動する中間域よりも、天板２が使用位置近傍から使用位置、あるいは起立位置近傍から起立位置に至る最終域の方が抵抗力を大きく付与するように構成することで、天板２を、使用位置から起立位置、あるいは起立位置から使用位置のどちらの回動に対しても短時間に移動することができ、しかも、最終域では衝撃が加わることなくスムーズに停止できる。【選択図】　図２
2004135725.tif 000002
【特許請求の範囲】
【請求項１】
支柱に対し略水平な使用位置と、略垂直な起立位置との間で回動可能に軸着した天板と、前記天板の回動に抵抗力を付与する回動抵抗手段とを備えた回動抵抗手段付き折り畳みテーブルにおいて、
前記回動抵抗手段は、天板が使用位置から起立位置、あるいは起立位置から使用位置に回動移動する中間域よりも、天板が使用位置近傍から使用位置、あるいは起立位置近傍から起立位置に至る最終域の方が抵抗力を大きく付与するようにしたことを特徴とする回動抵抗手段付き折り畳みテーブル。
【請求項２】
前記回動抵抗手段は、前記天板が起立位置近傍から起立位置に至る最終域と、使用位置近傍から使用位置に至る最終域とを対比し、重力が付加される方向の天板の移動となる側の最終域の方により大きな抵抗力を付与するようにした請求項１に記載の回動抵抗手段付き折り畳みテーブル。
【請求項３】
前記天板が使用位置から初期域、中間域を経て最終域である起立位置に至る移動と、起立位置から初期域、中間域を経て最終域である使用位置に至る移動とを対比し、重力が付加されない天板の移動となる側の移動の方が、その各対応する移動域に対してより小さな抵抗力を付与できる補助抵抗手段を有している請求項１または２に記載の回動抵抗手段付き折り畳みテーブル。
【請求項４】
前記回動抵抗手段は、一方が天板側に他方が支柱側に連結されたピストンシリンダ式ダンパーである請求項１ないし３の何れかに記載の回動抵抗手段付き折り畳みテーブル。
ーブル。
【請求項５】
前記回動抵抗手段は、一方が天板側に他方が支柱側に連結されたピストンシリンダ式ダンパーで構成され、前記補助抵抗手段が該ピストンシリンダ式ダンパーのピストンに設けた一方向弁である請求項３に記載の回動抵抗手段付き折り畳みテーブル。
【請求項６】
前記ピストンシリンダ式ダンパーは円筒シリンダとその内面を直線摺動するピストンから成り、前記回動抵抗手段は、該ピストンによって２分される２つの部屋間を連通する前記円筒シリンダの軸方向内面に形成した溝である請求項４または５に記載の回動抵抗手段付き折り畳みテーブル。
【請求項７】
前記ピストンシリンダ式ダンパーは２つのシリンダ室を有する円筒シリンダと各シリンダ室内を揺動するピストンから成り、前記回動抵抗手段は、該ピストンによって２分される２つの部屋間を連通する前記円筒シリンダの円周方向内面に形成した溝である請求項４または５に記載の回動抵抗手段付き折り畳みテーブル。
【発明の詳細な説明】
【０００１】
【発明の属する技術分野】
本発明は、支柱に対し略水平な使用位置と、略垂直な起立位置との間で回動可能に軸着した天板と、前記天板の回動に抵抗力を付与する回動抵抗手段とを備えた回動抵抗手段付き折り畳みテーブルに関する。
【０００２】
【従来の技術】
この種の折り畳みテーブルでは、天板を支柱に対し略水平な使用位置と、収納可能な略垂直な起立位置間で回動できるように支柱に軸着され、何れかの回動において天板に重力が作用し、天板が下降することになる。そのために使用者は天板を支えながら回動させる必要があり、支えなしに天板を回動させると支柱や係止装置等に衝撃が加わり、大きな衝撃音が発生するのみならず、部品が損傷を受けてテーブルの耐用年数が短くなる恐れがあった。
【０００３】
そして、天板の回動に際し、手で支えることなく重力による天板の急速な下降を避けるために、天板と支柱間に伸縮型のガススプリングを設け、天板の回動に抵抗力を付与したものが知られている（特許文献１参照）。また、天板の回動に抵抗力を付与する他の形式として回動型オイルダンパーを用いた折り畳みテーブルも知られている（特許文献２参照）。
【０００４】
【特許文献１】
特開平８−１１７０３１号公報（段落００１６−００１８、図２，５）
【特許文献２】
特開平１０−２１１０２５号公報（第１−２頁、図１−３）
【０００５】
【発明が解決しようとする課題】
ところで、上記特許文献１，２に記載のものは、天板の急速な衝突は避けられるものの、天板の回動に対する抵抗力が一定であるために、起立位置から重力が作用する水平位置までに回動するのに時間がかかり過ぎる欠点を有していた。
【０００６】
本発明は、このような状況に鑑みてなされたもので、略水平な使用位置と、略垂直な起立位置との間で天板を回動するに際し、短時間に移動でき、しかも使用位置や起立位置の回動端において衝撃が加わることなく停止できる回動抵抗手段付き折り畳みテーブルを提供することを目的とするものである。
【０００７】
【課題を解決するための手段】
上記課題を解決するために、本発明の回動抵抗手段付き折り畳みテーブルは、支柱に対し略水平な使用位置と、略垂直な起立位置との間で回動可能に軸着した天板と、前記天板の回動に抵抗力を付与する回動抵抗手段とを備えた回動抵抗手段付き折り畳みテーブルにおいて、前記回動抵抗手段は、天板が使用位置から起立位置、あるいは起立位置から使用位置に回動移動する中間域よりも、天板が使用位置近傍から使用位置、あるいは起立位置近傍から起立位置に至る最終域の方が抵抗力を大きく付与するようにしたことを特徴としている。
この特徴によれば、中間域で回動抵抗が小さくなっているので、使用位置から起立位置、あるいは起立位置から使用位置のどちらの回動に対しても短時間に移動することができ、しかも、最終域では回動抵抗が大きいので、衝撃が加わることなくスムーズに停止できる。
【０００８】
本発明の回動抵抗手段付き折り畳みテーブルにおいて、前記回動抵抗手段は、前記天板が起立位置近傍から起立位置に至る最終域と、使用位置近傍から使用位置に至る最終域とを対比し、重力が付加される方向の天板の移動となる側の最終域の方により大きな抵抗力を付与するようにすることが好ましい。
このようにすれば、重力が付加される方向の、天板の移動の方がより強く衝撃が加わるので、最終領域では大きい回動抵抗を加えることで天板のスムーズな停止が実現できる。
【０００９】
本発明の回動抵抗手段付き折り畳みテーブルにおいて、前記天板が使用位置から初期域、中間域を経て最終域である起立位置に至る移動と、起立位置から初期域、中間域を経て最終域である使用位置に至る移動とを対比し、重力が付加されない天板の移動となる側の移動の方が、その各対応する移動域に対してより小さな抵抗力を付与できる補助抵抗手段を有していることが好ましい。
このようにすれば、重力が付加される天板の移動と反対の移動をさせるとき、より短時間で移動が完了する。
【００１０】
本発明の回動抵抗手段付き折り畳みテーブルにおいて、前記回動抵抗手段は、一方が天板側に他方が支柱側に連結されたピストンシリンダ式ダンパーである
ことが好ましい。
このようにすれば、ピストンシリンダ式ダンパーを用いることで、通常使用されていたガススプリングや、オイルダンパに代えて使用することができる。
【００１１】
本発明の回動抵抗手段付き折り畳みテーブルにおいて、前記回動抵抗手段は、一方が天板側に他方が支柱側に連結されたピストンシリンダ式ダンパーで構成され、前記補助抵抗手段がピストンシリンダ式ダンパーのピストンに設けた一方向弁であることが好ましい。
このようにすれば、補助抵抗手段が回動抵抗手段で用いられるピストンに設けることで、簡素な構成部品として仕上げることができる。
【００１２】
本発明の回動抵抗手段付き折り畳みテーブルにおいて、前記ピストンシリンダ式ダンパーは円筒シリンダとその内面を直線摺動するピストンから成り、前記回動抵抗手段は、該ピストンによって２分される２つの部屋間を連通する前記円筒シリンダの軸方向内面に形成した溝であることが好ましい。
このようにすれば、溝幅を代えるだけで直線摺動するピストンの移動抵抗を容易に調整することができる。
【００１３】
本発明の回動抵抗手段付き折り畳みテーブルにおいて、前記ピストンシリンダ式ダンパーは２つのシリンダ室を有する円筒シリンダと各シリンダ室内を揺動摺動するピストンから成り、前記回動抵抗手段は、該ピストンによって２分される２つの部屋間を連通する前記円筒シリンダの円周方向内面に形成した溝であることが好ましい。
このようにすれば、溝幅を代えるだけで揺動摺動するピストンの移動抵抗を容易に調整することができる。
【００１４】
【発明の実施の形態】
以下、本発明の実施形態を図面に基づいて説明する。
【００１５】
図１〜図４は本発明の一実施形態を示すもので、図１の（ａ）は回動抵抗手段付き折り畳みテーブルの正面図、（ｂ）は回動抵抗手段付き折り畳みテーブルの一部破断部を示す平面図、図２は図１（ａ）のＡ−Ａ断面図であって（ａ）は天板が垂直状態にある回動抵抗手段付き折り畳みテーブルの側面図、（ｂ）は天板が水平状態にある回動抵抗手段付き折り畳みテーブルの側面図、図３はピストンシリンダ式ダンパーの断面図、図４（ａ）は図３のＢ−Ｂ断面図、（ｂ）は図３のＣ−Ｃ断面図、（ｃ）は図３のＤ−Ｄ面図、図５はダンパーのピストンに一方向弁を組み込んだピストンシリンダ式ダンパーの断面図、図６の（ａ）〜（ｃ）は円筒シリンダにおいてピストンの移動抵抗が変化する状態の説明図である。
【００１６】
図１において、符号１は回動抵抗手段付き折り畳みテーブル（以下折り畳みテーブルと称する）を示し、この折り畳みテーブル１は、略横長矩形に形成された天板２と、この天板２を長手方向左右で支持する４本の脚部４ａ、４ｂ及び５ａ、５ｂから成る脚柱４、５と、上記脚部４ａ、４ｂ及び５ａ、５ｂの下端に取着されたキャスタ７と、天板２を略水平な使用位置と、略垂直な起立位置との間で回動移動する際に抵抗力を付与する回動抵抗手段としてのピストンシリンダ式ダンパー１４（以下ダンパーと称する）とから構成されている。
【００１７】
詳しくは、脚柱４、５は、左右対称構造で、図２に示すように、一対の例えば中空管の側面を互いに接合して垂直な支柱を構成すると共にその下方を前後に拡開折曲させた脚部４ａ、４ｂ（５ａ、５ｂ）で構成されている。
【００１８】
一方、天板２の下面には、図１（ｂ）に示すように、その左右に前後に向く平行な一対の横支持枠８ａ、８ｂと、両横支持枠８ａ、８ｂ間の前後を連結する前枠１２ａ及び後枠１２ｂとから成る枠部材が取付けられている。
【００１９】
両脚柱４、５の支柱上端にはそれぞれ支持部６が設けられ、これら両支持部６間には中枠１０が連結されており、両支持部６の後方側に設けられた支軸１５には天板２の下面に取付けられた両横支持枠８ａ、８ｂの略中間部が回動自在に枢着され、天板２を回動自在に支持している。
【００２０】
中枠１０の長手方向中間と前枠１２ａの中間には、ダンパー１４の両端が枢動可能に連結されている。そしてこのダンパー１４は、図３に示すように円筒シリンダ１６とその内面を直線摺動するピストン１８から成り、ピストン１８の片面から一体的に延設したロッド２０が円筒シリンダ１６の一端から液密に軸方向外方に突出している。
【００２１】
図６に示すように、円筒シリンダ１６の他端には、中枠１０の中間に連結する取付具２６ａが設けられると共に、ロッド２０の先端には前枠１２ａの中間に枢着される取付具２６ｂが設けられている。
【００２２】
ダンパー１４は、円筒シリンダ１６の他端及びロッド２０の先端に軸方向の負荷が作用した際に、ピストン１８の移動に抵抗を与えるもので、図３に示すように、円筒シリンダ１６はピストン１８によって左右２つの部屋Ｘ，Ｙ分けられ、円筒シリンダ１６の内壁には２つの部屋Ｘ、Ｙ間に連通する所定断面積の連通溝２２，２４，２５が設けられている。
【００２３】
円筒シリンダ１６とロッド２０に軸方向の負荷が掛かると、ピストン１８は負荷に応じて移動しようとするが、部屋Ｘ、Ｙ間を流れる流体は連通溝２２，２４，２５の溝幅により制限されるので、ピストン１８は連通溝の溝幅に応じて移動抵抗を受けることになる。
【００２４】
詳しくは、本実施形態に係る円筒シリンダ１６には、軸方向中間の内周壁面に所定長さの幅広溝２２が形成され、幅広溝２２のロッド２０側には中幅溝２５が形成されると共に、幅広溝２２のシリンダヘッド側には中幅溝２５より長い細幅溝２４が同一軸線上に形成されている。幅広溝２２、中幅溝２５及び細幅溝２４は、それぞれ一定深さに形成されるとともに、それぞれ溝幅が変化する部位がテーパ状の連続する直線傾斜部で連結されている。
【００２５】
尚、上記連通路としての各溝２２、２４及び２５は、流出する流量を変化させるために断面積の変化により調整すれば良く、溝幅の幅の変化のみでなく深さによって流量を調整することも可能である。
【００２６】
次に、折り畳みテーブルの回動操作時におけるダンパーの作用に付き図２及び図６を参照して説明する。
【００２７】
図２の（ａ）に示すように、天板２が不使用時における略垂直な起立位置にあるときは、ダンパー１４は伸張状態になっており、この状態のピストン１８は図６の（ａ）に示す位置から更に前進した前進端（右端）に有る。
【００２８】
この起立状態において、天板２の上端に手を掛けて図２の（ａ）に示す初期域ＯＡのＯからＡに向け時計回りで手前側に向く回動に伴ってピストン１８が図６（ａ）に示す位置まで移動する際は、円筒シリンダ１６のシリンダヘッド側の部屋Ｘで圧縮された圧油が中幅溝２５を通して絞られた流量の油がロッド２０側の部屋Ｙに流入することで、中程度の抵抗力が生ずる。
【００２９】
更に天板２の下方への回動動作を継続させて、天板２が図２（ａ）の中間域ＡＢに入ると、図６（ｂ）に示すピストン１８がシリンダヘッド側に移動し、ピストン１８によりシリンダヘッド側の部屋で圧縮された圧油は幅広溝２２を通して絞られた流量の油がロッド２０側の部屋に流入するので、天板２は高速で移動できる。
【００３０】
天板２を更に下方に回動させて、天板２が図２（ａ）の最終域ＢＯ′に至ると、図６（ｃ）に示すごとく、ピストン１８によりシリンダヘッド側の部屋で圧縮された圧油が細幅溝２４で急速に絞られてロッド２０側の部屋Ｙに流入するので、大きな抵抗力が生じ衝撃力が緩和される。
【００３１】
このように、天板２を垂直な起立位置から水平な使用位置に移動させる場合、天板２の重力が付加される方向であるので、細幅溝２４が使用される。天板２が使用時における水平位置にあるときは、図２の（ｂ）に示すようにダンパー１４は縮小状態となっており、この状態のピストン１８は図６（ｃ）に示す位置から更に後退したヘッド側端部（左端）に有る。
【００３２】
この水平状態にある天板２の前端に手を掛けて図２（ｂ）に示す初期域ＯＢのＯからＢに向け反時計回りで上方に向く回動に伴ってピストン１８が図６（ａ）に示す位置まで移動する際は、円筒シリンダ１６のロッド２０側の部屋で圧縮された圧油が細幅溝２４を通して絞られシリンダヘッド側の部屋に流入することで、天板２の前端を水平状態から上方に引き上げる人為的な作用に対し抵抗力が生ずる。
【００３３】
更に天板２を上方へ回動させて、天板２が図２（ｂ）の中間域ＢＡに入ると、図６（ｂ）に示すピストン１８がロッド側に移動し、ピストン１８によりロッド２０側の部屋で圧縮された圧油は幅広溝２２を通過して絞られた流量の油がシリンダヘッド側の部屋に流入するので、天板２は高速で移動できる。
【００３４】
次いで、天板２を更に上方に動させて、天板２が図２（ｂ）の最終域ＡＯ′に至ると、図６（ａ）に示すごとく、ピストン１８によりロッド２０側の部屋で圧縮された圧油が中幅溝２５で更に絞られてシリンダヘッド側の部屋に流入するので、比較的大きな抵抗力が生じ衝撃力が緩和される。
【００３５】
尚、上記のように構成された折り畳みテーブル１の天板２は、略水平な使用位置と略垂直な起立位置との間で回動するに際し、略水平な使用位置に対し前端を上方に向けて回動させる構成としたが、逆に前端を下方に向けて回動させる構成とすることもできる。
【００３６】
この場合、回動抵抗手段は、天板２が起立位置近傍から起立位置に至る最終域と、使用位置近傍から使用位置に至る最終域とを対比し、重力が付加される方向の天板２の移動となる側の最終域の方により大きな抵抗力を付与するように連通溝の溝幅を選定することは勿論である。
【００３７】
また、回動抵抗手段としてのダンパー１４は、ピストン１８が直線摺動する円筒シリンダ１６として構成したが、特に図示しないが、２つのシリンダ室を有する円筒シリンダとしての構成し、このロータリシリンダ内の各シリンダ室内を揺動するピストン（ベーン）を設けて、ベーンによって２分される２つの部屋間を連通するロータリシリンダの円周方向内面に形成した溝で回動抵抗手段とすることもできる。
【００３８】
従って、本実施形態に係る折り畳みテーブル１によれば、ダンパー１４における中間域ＡＢで回動抵抗が小さくなる領域をもっているので、水平な使用位置から起立位置、あるいは起立位置から使用位置のどちらの回動に対しても短時間に移動することができ、しかも、最終域では回動抵抗が大きいので、衝撃が加わることなくスムーズに停止できる。
【００３９】
また、上記回動抵抗手段が、天板２が起立位置近傍から起立位置に至る最終域ＡＯ′と、使用位置近傍から使用位置に至る最終域ＢＯ′とを対比し、重力が付加される方向の天板２の移動となる側の最終域Ｏ′Ｂの方に、より大きな抵抗力が付与されるように構成されているので、重力が付加される方向の天板２の移動の方がより大きい回動抵抗を加えることが可能となる。
【００４０】
本発明のダンパーはピストンシリンダ式ダンパーであるので、通常使用されているガススプリングや、オイルダンパに代えて使用することができる。
【００４１】
次に、補助抵抗手段に付き図５を参照して説明する。
【００４２】
図５に示す符号１４′はダンパーであって、このダンパー１４′は、基本的に上記実施形態で説明したダンパー１４と同一構成となっており、ピストン１８に補助抵抗手段としての一方向弁２８が組み込まれている。
【００４３】
この一方向弁２８は、ピストン１８で２分された円筒シリンダ１６のロッド２０側の圧油をシリンダヘッド側にのみ流出できるように構成されている。
【００４４】
従って、上記のように構成されたダンパー１４′によれば、一方向弁２８がピストンに設けることで、天板２を図２（ｂ）に示すように使用位置から起立位置に移動させる場合に、ロッド側の油をシリンダヘッド側に連通溝２２，２４，２５だけでなく一方向弁２８を介しても戻せるので、より短時間でその移動が完了する。逆に、天板２を起立位置から使用位置に移動させる場合は、重力が付加する方向であるから、一方向孔弁２８を通過する流れはなく、最終領域ＢＯ′での抵抗は充分作用するようになっている。
【００４５】
【発明の効果】
本発明は以下の効果を奏する。
【００４６】
（ａ）請求項１項の発明によれば、中間域で回動抵抗が小さくなっているので、使用位置から起立位置、あるいは起立位置から使用位置のどちらの回動に対しても短時間に移動することができ、しかも、最終域では回動抵抗が大きいので、衝撃が加わることなくスムーズに停止できる。
【００４７】
（ｂ）請求項２項の発明によれば、重力が付加される方向の、天板の移動の方がより強く衝撃が加わるので、最終領域では大きい回動抵抗を加えることで天板のスムーズな停止が実現できる。
【００４８】
（ｃ）請求項３項の発明によれば、重力が付加される天板の移動と反対の移動をさせるとき、より短時間で移動が完了する。
【００４９】
（ｄ）請求項４項の発明によれば、ピストンシリンダ式ダンパーを用いることで、通常使用されていたガススプリングや、オイルダンパに代えて使用することができる。
【００５０】
（ｅ）請求項５項の発明によれば、補助抵抗手段が回動抵抗手段で用いられるピストンに設けることで、簡素な構成部品として仕上げることができる。
【００５１】
（ｆ）請求項６項の発明によれば、溝幅を代えるだけで直線摺動するピストンの移動抵抗を容易に調整することができる。
【００５２】
（ｇ）請求項７項の発明によれば、溝幅を代えるだけで揺動摺動するピストンの移動抵抗を容易に調整することができる。
【図面の簡単な説明】
【図１】本発明の一実施形態を示すものであって、（ａ）は回動抵抗手段付き折り畳みテーブルの正面図、（ｂ）は回動抵抗手段付き折り畳みテーブルの一部は破断部を示す平面図である。
【図２】図１（ａ）のＡ−Ａ断面図であって（ａ）は天板が垂直状態にある回動抵抗手段付き折り畳みテーブルの側面図、（ｂ）は天板が水平状態にある回動抵抗手段付き折り畳みテーブルの側面図である。
【図３】ピストンシリンダ式ダンパーの断面図である。
【図４】（ａ）は図３のＢ−Ｂ断面図、（ｂ）は図３のＡ−Ａ断面図、（ｃ）は図３のＤ−Ｄ面図である。
【図５】ダンパーのピストンに一方向弁を組み込んだピストンシリンダ式ダンパーの断面図である。
【図６】（ａ）〜（ｃ）は円筒シリンダにおいてピストンの移動抵抗が変化する状態の説明図である。
【符号の説明】
１　　　　　　　　　　折り畳みテーブル
２　　　　　　　　　　天板
４　　　　　　　　　　脚柱
４ａ、４ｂ　　　　　　脚部
５ａ、５ｂ　　　　　　脚部
６　　　　　　　　　　支持部
７　　　　　　　　　　キャスタ
８ａ、８ｂ　　　　　　横支持枠
１０　　　　　　　　　中枠
１２ａ　　　　　　　　前枠
１２ｂ　　　　　　　　後枠
１４　　　　　　　　　ダンパー（ピストンシリンダ式ダンパー）
１５　　　　　　　　　支軸
１６　　　　　　　　　円筒シリンダ
１８　　　　　　　　　ピストン
２０　　　　　　　　　ロッド
２２　　　　　　　　　幅広溝
２４　　　　　　　　　細幅溝
２５　　　　　　　　　中幅溝
２６ａ、２６ｂ　　　　取付具
２８　　　　　　　　　一方向弁
ＡＢ、ＢＡ　　　　　　中間域
ＯＡ、ＯＢ　　　　　　初期域
ＢＯ′ＡＯ′　　　　　最終域
【図１】
2004135725.tif 000003
【図２】
2004135725.tif 000004
【図３】
2004135725.tif 000005
【図４】
2004135725.tif 000006
【図５】
2004135725.tif 000007
【図６】
2004135725.tif 000008